(57)【特許請求の範囲】
【請求項１】
グループに対応するメッセージ受信モードを検出するステップと、
前記グループに対応するメッセージ受信モードが消音通知受信モードであるならば、グループメッセージに対するユーザの興味の程度および前記グループにおけるユーザの活動の程度を取得するステップと、
前記興味の程度および前記活動の程度に従って、前記グループを退去するための案内をトリガするかどうかを決定するステップと、
前記グループを退去するための案内をトリガすることが決定されたならば、前記グループを退去することについての案内情報を表示し、前記グループを退去するための決定された命令が入出力デバイスを使用することによって受け取られたとき前記グループを退去するステップと、
を含むグループ管理方法。
【請求項２】
グループメッセージに対するユーザの興味の程度および前記グループにおけるユーザの活動の程度を取得する前記ステップは、
前記消音通知受信モードを取り消すための前記ユーザからの命令が受け取られたかどうかを検出し、前記消音通知受信モードを取り消すための前記ユーザからの命令が受け取られたならば、前記グループメッセージに対するユーザの興味の程度を取得し、そうでなければ、前記グループにおけるユーザの活動の程度を取得するステップを含む、請求項１に記載の方法。
【請求項３】
前記興味の程度および前記活動の程度に従って、前記グループを退去するための案内をトリガするかどうかを決定する前記ステップは、
最近の期間内で前記グループ内のユーザによって送信されたメッセージの量を取得し、前記メッセージの量に従って前記グループを退去するための案内をトリガするかどうかを決定するステップを含む、請求項１に記載の方法。
【請求項４】
前記興味の程度および前記活動の程度に従って、前記グループを退去するための案内をトリガするかどうかを決定する前記ステップは、
前記消音通知受信モードを取り消すための前記ユーザからの命令が受け取られたかどうかを検出するステップと、
前記消音通知受信モードを取り消すための前記ユーザからの命令が受け取られていないならば、再度、最近の期間内で前記グループ内のユーザによって送信されたメッセージの量を取得するステップを実行するステップと、をさらに含む、請求項３に記載の方法。
【請求項５】
前記興味の程度および前記活動の程度に従って、前記グループを退去するための案内をトリガするかどうかを決定する前記ステップは、
前記消音通知受信モードを取り消すための前記ユーザからの命令が受け取られたかどうかを検出するステップと、
前記消音通知受信モードを取り消すための前記ユーザからの命令が受け取られたならば、グループメッセージ表示インタフェースに移行した後の滞在時間をさらに取得し、前記グループメッセージ表示インタフェースに移行した後の滞在時間に従って、前記グループを退去するための案内をトリガするかどうかを決定するステップと、を含む、請求項１に記載の方法。
【請求項６】
前記グループメッセージ表示インタフェースに移行した後の滞在時間に従って、前記グループを退去するための案内をトリガするかどうかを決定する前記ステップは、
前記グループメッセージ表示インタフェースに移行した後の滞在時間を時間閾値と比較するステップと、
前記グループメッセージ表示インタフェースに移行した後の滞在時間が前記時間閾値より少ない時間の量を記録するステップと、
前記時間の量が予め設定された時間の量に到達したならば、前記グループを退去するための案内をトリガすることを決定するステップと、を含む、請求項５に記載の方法。
【請求項７】
前記グループを退去するための案内をトリガすることが決定されたならば、前記グループを退去することについての案内情報を表示し、前記グループを退去するための決定された命令が受け取られたとき前記グループを退去する前記ステップは、
前記グループを退去するための案内をトリガすることが決定されたならば、プロンプトボックスをポップアップし、前記プロンプトボックスを使用することによって前記グループを退去することについての案内情報を表示し、前記プロンプトボックス内に前記グループを退去するためのスイッチを提供するステップであって、前記グループを退去することについての案内情報は、前記グループを退去した後に前記グループを退去することについてのメッセージが何も表示されないことを示すプロンプト情報を含む、ステップと、
前記グループを退去するためのスイッチを使用することによって前記グループを退去するための決定された命令を受け取って、前記ユーザと前記グループの間の結合関係を終了するステップと、を含む、請求項１に記載の方法。
【請求項８】
端末であって、メモリとプロセッサとを含み、前記メモリは命令を記憶し、前記命令は、前記プロセッサによって実行されるとき、前記プロセッサに、
グループに対応するメッセージ受信モードを検出するステップと、
前記グループに対応するメッセージ受信モードが消音通知受信モードであるならば、グループメッセージに対するユーザの興味の程度および前記グループにおけるユーザの活動の程度を取得するステップと、
前記興味の程度および前記活動の程度に従って、前記グループを退去するための案内をトリガするかどうかを決定するステップと、
前記グループを退去するための案内をトリガすることが決定されたならば、前記グループを退去することについての案内情報を表示し、前記グループを退去するための決定された命令が入出力デバイスを使用することによって受け取られたとき前記グループを退去するステップと、
を実行させる端末。
【請求項９】
グループメッセージに対するユーザの興味の程度および前記グループにおけるユーザの活動の程度を取得する、前記プロセッサによって実行されるステップは、
前記消音通知受信モードを取り消すための前記ユーザからの命令が受け取られたかどうかを検出し、前記消音通知受信モードを取り消すための前記ユーザからの命令が受け取られたならば、前記グループメッセージに対するユーザの興味の程度を取得し、そうでなければ、前記グループにおけるユーザの活動の程度を取得するステップと、を含む、請求項８に記載の端末。
【請求項１０】
前記興味の程度および前記活動の程度に従って、前記グループを退去するための案内をトリガするかどうかを決定する、前記プロセッサによって実行されるステップは、
最近の期間内で前記グループ内のユーザによって送信されたメッセージの量を取得し、前記メッセージの量に従って前記グループを退去するための案内をトリガするかどうかを決定するステップを含む、請求項８に記載の端末。
【請求項１１】
前記興味の程度および前記活動の程度に従って、前記グループを退去するための案内をトリガするかどうかを決定する、前記プロセッサによって実行されるステップは、
前記消音通知受信モードを取り消すための前記ユーザからの命令が受け取られたかどうかを検出するステップと、
前記消音通知受信モードを取り消すための前記ユーザからの命令が受け取られていないならば、再度、最近の期間内で前記グループ内のユーザによって送信されたメッセージの量を取得するステップを実行するステップと、をさらに含む、請求項１０に記載の端末。
【請求項１２】
前記興味の程度および前記活動の程度に従って、前記グループを退去するための案内をトリガするかどうかを決定する、前記プロセッサによって実行されるステップは、
前記消音通知受信モードを取り消すための前記ユーザからの命令が受け取られたかどうかを検出するステップと、
前記消音通知受信モードを取り消すための前記ユーザからの命令が受け取られたならば、グループメッセージ表示インタフェースに移行した後の滞在時間をさらに取得し、前記グループメッセージ表示インタフェースに移行した後の滞在時間に従って、前記グループを退去するための案内をトリガするかどうかを決定するステップと、を含む、請求項８に記載の端末。
【請求項１３】
前記グループメッセージ表示インタフェースに移行した後の滞在時間に従って、前記グループを退去するための案内をトリガするかどうかを決定する、前記プロセッサによって実行されるステップは、
前記グループメッセージ表示インタフェースに移行した後の滞在時間を時間閾値と比較するステップと、
前記グループメッセージ表示インタフェースに移行した後の滞在時間が前記時間閾値より少ない時間の量を記録するステップと、
前記時間の量が予め設定された時間の量に到達したならば、前記グループを退去するための案内をトリガすることを決定するステップと、を含む、請求項１２に記載の端末。
【請求項１４】
前記グループを退去するための案内をトリガすることが決定されたならば、前記グループを退去することについての案内情報を表示し、前記グループを退去するための決定された命令が受け取られたとき前記グループを退去する、前記プロセッサによって実行されるステップは、
前記グループを退去するための案内をトリガすることが決定されたならば、プロンプトボックスをポップアップし、前記プロンプトボックスを使用することによって前記グループを退去することについての案内情報を表示し、前記プロンプトボックス内に前記グループを退去するためのスイッチを提供するステップであって、前記グループを退去することについての案内情報は、前記グループを退去した後に前記グループを退去することについてのメッセージが何も表示されないことを示すプロンプト情報を含む、ステップと、
前記グループを退去するためのスイッチを使用することによって前記グループを退去するための決定された命令を受け取って、前記ユーザと前記グループの間の結合関係を終了するステップと、を含む、請求項８に記載の端末。
【請求項１５】
コンピュータ読み取り可能な命令を記憶した１つ以上のコンピュータ不揮発性記憶媒体であって、前記コンピュータ読み取り可能な命令は、１つ以上のプロセッサによって実行されるとき、前記１つ以上のプロセッサに、
グループに対応するメッセージ受信モードを検出するステップと、
前記グループに対応するメッセージ受信モードが消音通知受信モードであるならば、グループメッセージに対するユーザの興味の程度および前記グループにおけるユーザの活動の程度を取得するステップと、
前記興味の程度および前記活動の程度に従って、前記グループを退去するための案内をトリガするかどうかを決定するステップと、
前記グループを退去するための案内をトリガすることが決定されたならば、前記グループを退去することについての案内情報を表示し、前記グループを退去するための決定された命令が入出力デバイスを使用することによって受け取られたとき前記グループを退去するステップと、
を実行させる記憶媒体。
【請求項１６】
グループメッセージに対するユーザの興味の程度および前記グループにおけるユーザの活動の程度を取得する前記ステップは、
前記消音通知受信モードを取り消すための前記ユーザからの命令が受け取られたかどうかを検出し、前記消音通知受信モードを取り消すための前記ユーザからの命令が受け取られたならば、前記グループメッセージに対するユーザの興味の程度を取得し、そうでなければ、前記グループにおけるユーザの活動の程度を取得するステップを含む、請求項１５に記載の記憶媒体。
【請求項１７】
前記興味の程度および前記活動の程度に従って、前記グループを退去するための案内をトリガするかどうかを決定する前記ステップは、
最近の期間内で前記グループ内のユーザによって送信されたメッセージの量を取得し、前記メッセージの量に従って前記グループを退去するための案内をトリガするかどうかを決定するステップを含む、請求項１５に記載の記憶媒体。
【請求項１８】
前記興味の程度および前記活動の程度に従って、前記グループを退去するための案内をトリガするかどうかを決定する前記ステップは、
前記消音通知受信モードを取り消すための前記ユーザからの命令が受け取られたかどうかを検出するステップと、
前記消音通知受信モードを取り消すための前記ユーザからの命令が受け取られていないならば、再度、最近の期間内で前記グループ内のユーザによって送信されたメッセージの量を取得するステップを実行するステップと、をさらに含む、請求項１７に記載の記憶媒体。
【請求項１９】
前記興味の程度および前記活動の程度に従って、前記グループを退去するための案内をトリガするかどうかを決定する前記ステップは、
前記消音通知受信モードを取り消すための前記ユーザからの命令が受け取られたかどうかを検出するステップと、
前記消音通知受信モードを取り消すための前記ユーザからの命令が受け取られたならば、グループメッセージ表示インタフェースに移行した後の滞在時間をさらに取得し、前記グループメッセージ表示インタフェースに移行した後の滞在時間に従って、前記グループを退去するための案内をトリガするかどうかを決定するステップと、を含む、請求項１５に記載の記憶媒体。
【請求項２０】
前記グループを退去するための案内をトリガすることが決定されたならば、前記グループを退去することについての案内情報を表示し、前記グループを退去するための決定された命令が受け取られたとき前記グループを退去する前記ステップは、
前記グループを退去するための案内をトリガすることが決定されたならば、プロンプトボックスをポップアップし、前記プロンプトボックスを使用することによって前記グループを退去することについての案内情報を表示し、前記プロンプトボックス内に前記グループを退去するためのスイッチを提供するステップであって、前記グループを退去することについての案内情報は、前記グループを退去した後に前記グループを退去することについてのメッセージが何も表示されないことを示すプロンプト情報を含む、ステップと、
前記グループを退去するためのスイッチを使用することによって前記グループを退去するための決定された命令を受け取って、前記ユーザと前記グループの間の結合関係を終了するステップと、を含む、請求項１５に記載の記憶媒体。
【発明の詳細な説明】
【技術分野】
【０００１】
この出願は、2015年7月23日に出願された、発明の名称を「グループ管理方法および装置」とする中国特許出願第2015104400169号の優先権を主張し、その全体が参照により組み込まれる。
【０００２】
本開示は、インターネット技術の分野、特に、グループ管理方法、端末、および記憶媒体に関する。
【背景技術】
【０００３】
現在、いくつかの頻繁に使用されるインスタント・メッセージング・ツールは、グループ機能を有し、それによって１対多または多対多の通信および交信が（クラスタおよびディスカッション・グループを含む）グループを使用することによって実現され得る。グループ内の多数の人々の間の通信における便利さのために、ユーザは複数のグループに追加され得る。しかし、グループ内に多数のメンバーが存在する。従って、グループによって受信されるメッセージの量は比較的大きい。ユーザがグループに興味がない、またはユーザがグループの他のメンバーと親しくないならば、グループによって受信される非常に多くのメッセージは、ユーザに価値のない情報の外乱をもたらし、グループは非常に多くの価値のないメッセージを受信するので、サーバへの圧迫が増加する。
【発明の概要】
【課題を解決するための手段】
【０００４】
この出願において開示されるグループ管理方法、端末、および記憶媒体は、開示の背景技術における１つ以上の課題を解決する。
【０００５】
グループに対応するメッセージ受信モードを検出するステップと、
グループに対応するメッセージ受信モードが消音通知受信モードであるならば、グループメッセージに対するユーザの興味の程度およびグループにおけるユーザの活動の程度を取得するステップと、
興味の程度および活動の程度に従って、グループを退去するための案内をトリガするかどうかを決定するステップと、
グループを退去するための案内をトリガすることが決定されたならば、グループを退去することについての案内情報を表示し、グループを退去するための決定された命令が入出力デバイスを使用することによって受け取られたときグループを退去するステップと、
を含むグループ管理方法。
【０００６】
端末であって、メモリとプロセッサとを含み、メモリは命令を記憶し、命令がプロセッサによって実行されるとき、プロセッサは、
グループに対応するメッセージ受信モードを検出するステップと、
グループに対応するメッセージ受信モードが消音通知受信モードであるならば、グループメッセージに対するユーザの興味の程度およびグループにおけるユーザの活動の程度を取得するステップと、
興味の程度および活動の程度に従って、グループを退去するための案内をトリガするかどうかを決定するステップと、
グループを退去するための案内をトリガすることが決定されたならば、グループを退去することについての案内情報を表示し、グループを退去するための決定された命令が入出力デバイスを使用することによって受け取られたときグループを退去するステップと、
を実行する端末。
【０００７】
コンピュータ読み取り可能な命令を記憶した１つ以上のコンピュータ不揮発性記憶媒体であって、コンピュータ読み取り可能な命令は、１つ以上のプロセッサによって実行されるとき、１つ以上のプロセッサは、
グループに対応するメッセージ受信モードを検出するステップと、
グループに対応するメッセージ受信モードが消音通知受信モードであるならば、グループメッセージに対するユーザの興味の程度およびグループにおけるユーザの活動の程度を取得するステップと、
興味の程度および活動の程度に従って、グループを退去するための案内をトリガするかどうかを決定するステップと、
グループを退去するための案内をトリガすることが決定されたならば、グループを退去することについての案内情報を表示し、グループを退去するための決定された命令が入出力デバイスを使用することによって受け取られたときグループを退去するステップと、
を実行する。
【０００８】
添付図面および以下の記載において、本開示の１つ以上の実施形態の詳細が記載されている。本開示の他の特徴、目的、および利点は、明細書、添付図面、および請求項から明らかであろう。
【０００９】
本開示の実施形態および既存の技術における技術的解決策をより明確に記載するために、以下は、実施形態または既存の技術を記載するために要求される添付図面を簡単に記載する。明らかに、以下の記載における添付図面は、本開示のほんのいくつかの実施形態を表わし、この技術分野の当業者は、創作的な努力なしでこれらの添付図面から依然として他の図面を導き出し得る。
【図面の簡単な説明】
【００１０】
【図１】一実施形態によるグループ管理方法の適用環境の図である。
【図２】図１における端末の構成構造図である。
【図３】一実施形態によるグループ管理方法のフローチャートである。
【図４】もう１つの実施形態によるグループ管理方法のフローチャートである。
【図５】さらにもう１つの実施形態によるグループ管理方法のフローチャートである。
【図６】一実施形態による、消音通知モードにおいてグループを表示するインタフェースの概要図である。
【図７】一実施形態による、グループを退去することについての案内情報を表示するインタフェースの概要図である。
【図８】一実施形態による端末の構造ブロック図である。
【図９】一実施形態による案内決定モジュールの構造ブロック図である。
【発明を実施するための形態】
【００１１】
この出願の実施形態において提供されるグループ管理方法は、図１に表された環境に適用され得る。図１を参照すると、端末110は、ネットワークを使用することによってサーバ120と交信する。グループ機能を有するプラットフォームツール、例えば、インスタント・メッセージング、ソーシャル・ネットワーキング・サービス(SNS)コミュニティー・ネットワーク・ツール、マイクロブログ・アプリケーション、またはフォーラムが、端末110内で動作し、プラットフォームツールによって提供されるグループ機能を使用することによってグループが生成され得る。プラットフォームツールは、グループを使用することによって多くの人々の間で情報交換を実現し得る。サーバ120は、グループ識別子およびグループに参加している対応するユーザのユーザ識別子を記憶する。サーバ120は、さらに、グループに対してユーザによって入力された設定情報(例えば、グループを消音通知受信モードに設定するかどうか、およびグループ内のメンバーの名前注釈)を含む、グループ内の各ユーザとグループとの間の参照情報、グループ内で送信されたメッセージ、グループメッセージ表示インタフェースに移行した後の滞在時間、等を記憶する。
【００１２】
さらに、端末110は、グループに対してユーザによって入力された設定情報に従ってグループに対応するメッセージ受信モードを検出し得る。グループに対応するメッセージ受信モードが消音通知受信モードであるならば、端末110はサーバ120から参照情報を取得して、グループメッセージに対するユーザの興味の程度およびグループにおけるユーザの活動の程度を取得し、さらに、興味の程度および活動の程度に従って、グループを退去するようにユーザを能動的に案内するかどうかを決定する。グループを退去するための案内をトリガすることが決定されたならば、対応するユーザインタフェースを使用することによってユーザによる設定を受け取ることによってグループを退去することが実現される。端末110は、グループ機能を有するプラットフォームツールを動作させるあらゆるデバイス、例えば、パーソナルコンピュータ、ノートブックコンピュータ、スマートフォン、タブレットコンピュータ、および、ここに列挙されない、ポータブル・ウェアラブル・デバイスであり得る。
【００１３】
さらに、図２は、端末110の内部構造を表わす。端末110は、システムバスを使用することによって接続された、プロセッサ、グラフィック処理ユニット、記憶媒体、メモリ、ネットワークインタフェース、表示画面、および入力デバイスを含む。記憶媒体は、オペレーティングシステムを記憶し、さらに、コンピュータ実行可能な命令を記憶する。コンピュータ実行可能な命令はプロセッサによって実行されるとき、グループ管理方法が実現され得る。プロセッサは、コンピューティングおよび制御能力を提供して、端末110全体の動作をサポートするように構成される。端末110内のグラフィック処理ユニットは、少なくとも、アプリケーション操作インタフェースを表示する、例えば、グループを退去するようにユーザを案内するためにアプリケーションインタフェースを描画するための描画能力を提供するように構成される。メモリは、記憶媒体内で、グループ管理装置の動作のための環境を提供するように構成される。表示画面は、様々なアプリケーションのアイコンおよびインタフェースを表示する、例えば、グループメッセージ表示インタフェースまたはグループを退去するためのスイッチを表示するように構成される。入力デバイスは、ユーザによって入力されたコマンドまたはデータを受け取る、例えば、ユーザによって入力された設定情報等を受け取るように構成される。端末110のネットワークインタフェースは、サーバ120とのネットワーク接続を確立し、サーバ120と通信する、例えば、サーバ120によって送信されたデータを受信し、グループのためにユーザによって入力された設定情報を記憶のためにサーバ120に送信するように構成される。タッチス画面を有する端末110について、表示画面と入力デバイスの両方は、タッチス画面であり得る。図２に表された構造はこの出願における解決策に関する構造の部分のブロック図に過ぎず、この出願における解決策が適用される端末を限定しないことが理解され得る。具体的には、端末は、図に表されているより多いまたは少ない部分、またはいくつかの部分の組み合わせを含んでもよく、または異なる部分の構成を有してもよい。
【００１４】
図３に表されたように、一実施形態において、グループ管理方法が提供される。例えば、方法は図１に表された端末に適用され、以下のステップを含む。
【００１５】
ステップ302.グループに対応するメッセージ受信モードを検出する。
【００１６】
メッセージ受信モードは、グループに対応する設定インタフェースを使用することによって設定されて、端末が、通知受信モードおよび消音通知受信モードを含む、どの形態でグループ内のメンバーによって送信されたメッセージを受信したかを決定し得る。通知受信モードは、グループ内の他のメンバーによって送信されたメッセージを受信するとき、端末が、プロンプト音を使用することによって通知を与え、メッセージを受信することを意味する。消音通知受信モードは、グループ内の他のメンバーによって送信されたメッセージを受信するとき、端末が、プロンプト音を有効にすることなく、メッセージを受信することを意味する。従って、消音通知受信モードは消音受信モードとも呼ばれる。グループ内のメッセージの量が比較的大きいので、ユーザがメッセージを見る必要がないグループに対して、ユーザはグループに対応するメッセージ受信モードを消音通知受信モードに設定し得る。
【００１７】
ステップ304.グループに対応するメッセージ受信モードが消音通知受信モードであるならば、グループメッセージに対するユーザの興味の程度およびグループにおけるユーザの活動の程度を取得する。
【００１８】
この実施形態において、グループに対応するメッセージ受信モードが消音通知受信モードであるならば、それは、ユーザに対して、グループが、高い値を有さず、情報の外乱を有することを示す。端末は、さらに、グループメッセージに対するユーザの興味の程度およびグループにおけるユーザの活動の程度を取得する。
【００１９】
グループメッセージに対するユーザの興味の程度は、ユーザが、グループ内のメンバーによって送信されたメッセージに興味があるかどうかを反映する。具体的には、これは、ユーザが、グループの消音通知受信モードを取り消したかどうか、および通知受信モードを有効にしたかどうかに従って決定され得る。ユーザが、グループの消音通知受信モードを取り消したならば、それは、ユーザが、グループ内のメンバーによって送信されたメッセージを適時に見たいことを示す。すなわち、ユーザは、グループ内のメンバーによって送信されたメッセージに興味がある。加えて、ユーザが、グループ内のメンバーによって送信されたメッセージに興味があるかどうかは、また、グループメッセージ表示インタフェースに移行した後の滞在時間に従って決定され得る。グループメッセージ表示インタフェースに移行した後の滞在時間がより長いならば、ユーザは、グループ内のメンバーによって送信されたメッセージに、より興味がある。グループにおけるユーザの活動の程度は、グループ内のユーザによって送信されたメッセージの量に従って決定され得る。ユーザが、グループ内でより大量のメッセージを送信するとき、それは、グループにおけるユーザの活動の程度がより高いことを示す。
【００２０】
ステップ306.興味の程度および活動の程度に従って、グループを退去するための案内をトリガするかどうかを決定する。
【００２１】
この実施形態において、端末は、グループにおけるユーザの興味の程度を取得する。ユーザが、グループメッセージに興味がないと決定されたならば、グループを退去するための案内がトリガされ得る。端末は、その代わりに、グループにおける活動の程度を取得し得る。グループにおけるユーザの活動の程度が高くないならば、また、グループを退去するための案内がトリガされ得る。
【００２２】
ステップ308.グループを退去するための案内をトリガすることが決定されたならば、グループを退去することについての案内情報を表示し、グループを退去するための決定された命令が受け取られたときグループを退去する。
【００２３】
具体的には、グループを退去するための案内がトリガされる必要があると決定されたとき、端末のアプリケーションインタフェースにおいて、プロンプトボックスは、グループを退去することについての案内情報を表示するためにポップアップすることが可能であり、グループを退去するための決定された命令を受け取るために、グループを退去するためのスイッチが提供される。グループを退去するための決定された命令が受け取られたとき、グループを退去する、すなわち、ユーザとグループの間の結合関係を終了し、これはサーバに更新される。
【００２４】
この実施形態において、グループに対応するメッセージ受信モードが消音通知受信モードであるとき、それは、ユーザが、グループからのメッセージを適時に受信したくないことを示す。ユーザがグループを退去するための案内される必要があるかどうかは、さらに、グループメッセージに対するユーザの興味の程度およびグループにおけるユーザの活動の程度に従って決定され、それによって、ユーザは、案内の形態によって、グループを退去するように能動的に案内される。このようにして、大量の価値のないメッセージから生じるユーザへの情報の外乱が防止され、サーバの圧迫も減少される。
【００２５】
図４に表されたように、一実施形態において、グループ管理方法が提供され、以下のステップを含む。
【００２６】
ステップ402.グループに対応するメッセージ受信モードが消音通知受信モードであるかどうかを検出し、そうであるならば、ステップ404に入り、そうでないならば、処理を終了する。
【００２７】
この実施形態において、グループに対応するメッセージ受信モードが消音通知受信モードであるならば、それは、ユーザが、グループ内のメンバーによって送信されるメッセージを適時に見たいことを示し、また、ユーザがグループに興味があることを反映する。従って、グループを退去するように能動的な案内が必要とされず、処理が終了する。
【００２８】
ステップ404.消音通知受信モードを取り消すためのユーザからの命令が受け取られたかどうかを検出し、そうであるならば、ステップ408に入り、そうでないならば、ステップ406に入る。
【００２９】
この実施形態において、消音通知受信モードは、グループを設定することによってユーザによって取り消されることが可能であり、グループに対応するメッセージ受信モードは、通知受信モードに設定される。例えば、グループの設定インタフェースは、タッピングによって移行されることが可能であり、グループのメッセージ受信モードは、消音通知受信モードから通知受信モードに変更される。その代わりに、グループメッセージ表示インタフェースに移行することがトリガされ得る。例えば、グループのプロファイルの絵がタッピングされたとき、グループメッセージを見るためにグループメッセージ表示インタフェースに移行され、消音通知受信モードを取り消すための命令が生成される。
【００３０】
ステップ406.グループメッセージに対するユーザの興味の程度を取得し、興味の程度に従って、グループを退去するための案内をトリガするかどうかを決定する。
【００３１】
この実施形態において、グループメッセージに対するユーザの興味の程度は、グループメッセージ表示インタフェースに移行した後の滞在時間に従って決定され得る。例えば、ユーザがグループメッセージ表示インタフェースに移行した後の滞在時間が指定された時間閾値より小さいならば、グループを退去するための案内をトリガすることが決定される。
【００３２】
ステップ408.グループにおけるユーザの活動の程度を取得し、活動の程度に従って、グループを退去するための案内をトリガするかどうかを決定する。
【００３３】
この実施形態において、グループにおけるユーザの活動の程度は、グループ内のユーザによって送信されたメッセージの量に従って決定され得る。例えば、グループ内のユーザによって送信されたメッセージの量が指定された閾値より小さいことが取得され、グループを退去するための案内をトリガすることが決定される。
【００３４】
この実施形態において、グループメッセージに対するユーザの興味の程度またはグループにおけるユーザの活動の程度が異なる状況で取得され、それによって、ユーザに対するグループメッセージの外乱の程度が推論されて、グループを退去するようにユーザを能動的に案内するかどうかを決定することが可能であり、それにより、大量の価値のないメッセージから生じるユーザへの情報の外乱を防止し、一方、サーバの圧迫を減少させる。
【００３５】
一実施形態において、興味の程度および活動の程度に従って、グループを退去するための案内をトリガするかどうかを決定するステップは、最近の期間内でグループ内のユーザによって送信されたメッセージの量を取得し、メッセージの量に従ってグループを退去するための案内をトリガするかどうかを決定するステップを含む。
【００３６】
さらに、一実施形態において、興味の程度および活動の程度に従って、グループを退去するための案内をトリガするかどうかを決定するステップは、消音通知受信モードを取り消すためのユーザからの命令が受け取られたかどうかを検出するステップと、消音通知受信モードを取り消すためのユーザからの命令が受け取られていないならば、再度、最近の期間内でグループ内のユーザによって送信されたメッセージの量を取得するステップを実行するステップと、をさらに含む。
【００３７】
一実施形態において、興味の程度および活動の程度に従って、グループを退去するための案内をトリガするかどうかを決定するステップは、消音通知受信モードを取り消すためのユーザからの命令が受け取られたかどうかを検出するステップと、消音通知受信モードを取り消すためのユーザからの命令が受け取られたならば、グループメッセージ表示インタフェースに移行した後の滞在時間をさらに取得し、グループメッセージ表示インタフェースに移行した後の滞在時間に従って、グループを退去するための案内をトリガするかどうかを決定するステップと、を含む。
【００３８】
さらに、一実施形態において、グループメッセージ表示インタフェースに移行した後の滞在時間に従って、グループを退去するための案内をトリガするかどうかを決定するステップは、グループメッセージ表示インタフェースに移行した後の滞在時間を時間閾値と比較するステップと、グループメッセージ表示インタフェースに移行した後の滞在時間が時間閾値より少ない時間の量を記録するステップと、時間の量が予め設定された時間の量に到達したならば、グループを退去するための案内をトリガすることを決定するステップと、を含む。
【００３９】
図５に表されたように、一実施形態において、グループ管理方法が提供される。例えば、方法は図１に表された端末に適用され、具体的には、以下のステップを含む。
【００４０】
ステップ502.グループに対応するメッセージ受信モードが消音通知受信モードであるかどうかを検出し、そうであるならば、ステップ504に入り、そうでないならば、処理を終了する。
【００４１】
この実施形態において、グループに対応するメッセージ受信モードが消音通知受信モードであるならば、それは、ユーザが、グループ内のメンバーによって送信されたメッセージを適時に見たくないことを示す。すなわち、グループは、ユーザに対して高い値を有さず、情報の外乱を有する可能性があり、この場合、グループを退去するための案内は実行される必要はない。
【００４２】
ステップ504.消音通知受信モードを取り消すためのユーザからの命令が受け取られたかどうかを検出し、そうであるならば、ステップ508に入り、そうでないならば、ステップ506に入る。
【００４３】
この実施形態において、消音通知受信モードは、グループを設定することによってユーザによって取り消されることが可能であり、グループに対応するメッセージ受信モードは、通知受信モードに設定される。例えば、グループの設定インタフェースはタッピングによって移行されることが可能であり、グループのメッセージ受信モードは、消音通知受信モードから通知受信モードに変更される。その代わりに、グループメッセージ表示インタフェースに移行することがトリガされ得る。例えば、グループのプロファイルの絵がタッピングされ、グループメッセージを見るためにグループメッセージ表示インタフェースに移行されたとき、消音通知受信モードを取り消すための命令が生成される。
【００４４】
図６に表されたように、例えば、グループ機能を有するインスタント・メッセージング・ツールに対して、インスタント・メッセージング・ツールのアプリケーションインタフェースは、良い友人のリストのグループを表示し得る。グループに対応するメッセージ受信モードが消音通知受信モードであるならば、例えば、グループ1が消音通知受信モードにあるならば、グループに対応するプロファイルの絵は、通知なしマーク604を有し、グループ内の最近更新されたメッセージおよびユーザによって見られるべきメッセージの量が、さらに、グループ1に対応する列602内に表示される。ユーザがグループのプロファイルの絵をタッピングしたとき、消音通知モードが取り消され、グループメッセージ表示インタフェースに移行される。
【００４５】
ステップ506.最近の期間内でグループ内のユーザによって送信されたメッセージの量を取得し、メッセージの量に従ってグループを退去するための案内をトリガするかどうかを決定する。
【００４６】
この実施形態において、端末が、消音通知受信モードを取り消すためのユーザからの命令を受け取っていないならば、端末は、最近の期間内でグループ内のユーザによって送信されたメッセージの量を取得し、例えば、最近の１週間または１日におけるグループ内のユーザによって送信されたメッセージの量を取得する。最近の期間内でグループ内のユーザによって送信されたメッセージの量が指定された閾値より小さいならば、それは、ユーザが、グループ内のメンバーによって送信されたメッセージを適時に見たくもなく、グループにおける活動の程度が高くもないことを示し、グループを退去するための案内をトリガすることが決定される。
【００４７】
ステップ508.グループメッセージ表示インタフェースに移行した後の滞在時間を取得し、その時間に従って、グループを退去するための案内をトリガするかどうかを決定する。
【００４８】
この実施形態において、端末が、入出力デバイスを使用することによって消音通知受信モードを取り消すためのユーザからの命令を受け取ったならば、グループメッセージ表示インタフェースに移行され、グループメッセージ表示インタフェースに移行した後の滞在時間が取得される。その時間が指定された閾値より小さいならば、それは、ユーザが消音通知受信モードを取り消すが、ユーザのグループメッセージに対する興味の程度が高くないとき、グループを退去するためのメッセージをトリガすることが決定されることを示す。
【００４９】
さらに、一実施形態において、グループメッセージ表示インタフェースに移行した後の滞在時間に従ってグループを退去するための案内をトリガするかどうか決定するステップは、グループメッセージ表示インタフェースに移行した後の滞在時間を時間閾値と比較するステップと、グループメッセージ表示インタフェースに移行した後の滞在時間が時間閾値より少ない時間の量を記録するステップと、時間の量が予め設定された時間の量に到達したならば、グループを退去するための案内をトリガすることを決定するステップと、を含む。
【００５０】
この実施形態において、ユーザが、多くの回数、短期間についてグループメッセージ表示インタフェースにとどまるならば、それは、ユーザが消音通知受信モードを取り消すが、ユーザのグループメッセージに対する興味の程度が高くないことを示し、グループを退出するための案内をトリガすることが決定される。
【００５１】
ステップ510.グループを退去するための案内をトリガするかどうかを決定し、そうであるならば、ステップ512に入り、そうでないならば、処理を終了する。
【００５２】
ステップ512.プロンプトボックスをポップアップし、グループを退去することについての案内情報を表示し、グループを退去するためのスイッチを提供し、グループを退去するためのスイッチを使用することによってグループを退去するための命令を受け取り、グループを退去する。
【００５３】
この実施形態において、グループを退去することについての案内情報は、グループを退去した後にグループを退去することについてのメッセージが何も表示されないことを示すプロンプト情報を含む。図７に表されたように、グループを退去するための案内をトリガすることが決定されたのちに、プロンプトボックス702がポップアップして、グループを退去することについての案内情報を表示する。グループを退去することについての案内情報は、グループを退去した後にグループを退去するメッセージを表示しないことを示すプロンプト情報706を含む。プロンプトボックス702において、グループを退去するためのスイッチ704がさらに提供され、グループを退去すること、または、しないことは、グループを退去するためのスイッチ704を使用することによって決定され得る。
【００５４】
この実施形態において、グループを退去するための受け取られた命令がグループを退去するためのスイッチを使用することによって受け取られたとき、ユーザとグループの間の結合関係が終了され、ユーザがグループを退去することを示すメッセージは、グループ内に表示できない。
【００５５】
この実施形態において、グループにおけるユーザの活動の程度は、グループ内のユーザによって送信されたメッセージの量に従って取得され、グループメッセージに対するユーザの興味の程度は、グループメッセージ表示インタフェースに移行した滞在時間に従って取得されて、グループメッセージがユーザに外乱をもたらすかどうかを決定し、それにより、グループを退去するための案内をトリガするかどうかを決定する。ユーザは、このようにして、グループを退去するように能動的に案内され、それにより、大量の価値のないメッセージから生じるユーザへの情報の外乱を防止し、一方、サーバの圧迫を減少させる。
【００５６】
本開示の実施形態は、さらに、端末を提供する。端末の内部構造は、図２に表された構造に対応し得る。以下のモジュールの全てまたはいくつかは、ソフトウェア、ハードウェア、またはそれらの組み合わせによって実現され得る。
【００５７】
図８に表されたように、一実施形態において、この実施形態における端末は、
グループに対応するメッセージ受信モードを検出するように構成された検出モジュール802と、
グループに対応するメッセージ受信モードが消音通知受信モードであるならば、グループメッセージに対するユーザの興味の程度およびグループにおけるユーザの活動の程度を取得するように構成された情報取得モジュール804と、
興味の程度および活動の程度に従って、グループを退去するための案内をトリガするかどうかを決定するように構成された案内決定モジュール806と、
グループを退去するための案内をトリガすることが決定されたならば、グループを退去することについての案内情報を表示し、グループを退去するための決定された命令が受け取られたときグループを退去するように構成されたグループ退去モジュール808と、を含む。
【００５８】
一実施形態において、情報取得モジュール804は、消音通知受信モードを取り消すためのユーザからの命令が受け取られたかどうかを検出し、そうであるならば、グループメッセージに対するユーザの興味の程度を取得し、そうでないならば、グループにおけるユーザの活動の程度を取得するように構成される。
【００５９】
一実施形態において、図９に表されたように、案内決定モジュール806は、
最近の期間内でグループ内のユーザによって送信されたメッセージの量を取得し、メッセージの量に従ってグループを退去するための案内をトリガするかどうかを決定するように構成された第１決定モジュール816を含む。
【００６０】
さらに、一実施形態において、第１決定モジュール816は、最近の期間内でグループ内のユーザによって送信されたメッセージの量を取得する前に、消音通知受信モードを取り消すためのユーザからの命令が受け取られたかどうかを検出し、消音通知受信モードを取り消すためのユーザからの命令が受け取られたならば、最近の期間内でユーザによって送信されたメッセージの量を取得し、メッセージの量に従って、グループを退去するための案内をトリガするかどうかを決定するようにさらに構成される。
【００６１】
一実施形態において、案内決定モジュール806は、
消音通知受信モードを取り消すためのユーザからの命令が受け取られたかどうかを検出し、消音通知受信モードを取り消すためのユーザからの命令が受け取られたならば、グループメッセージ表示インタフェースに移行した滞在時間をさらに取得し、グループメッセージ表示インタフェースに移行した滞在時間に従って、グループを退去するための案内をトリガするかどうかを決定するように構成された第２決定モジュール826をさらに含む。
【００６２】
さらに、一実施形態において、第２決定モジュール826は、グループメッセージ表示インタフェースに移行した滞在時間を時間閾値と比較し、グループメッセージ表示インタフェースに移行した後の滞在時間が時間閾値より少ない時間の量を記録し、時間の量が予め設定された時間の量に到達したならば、グループを退去するための案内をトリガすることを決定するようにさらに構成される。
【００６３】
一実施形態において、グループ退去モジュール808は、グループを退去するための案内をトリガすることが決定されたならば、プロンプトボックスをポップアップし、プロンプトボックスを使用することによってグループを退去することについての案内情報を表示し、プロンプトボックス内にグループを退去するためのスイッチを提供するように構成され、グループを退去することについての案内情報は、グループを退去した後にグループを退去することについてのメッセージが何も表示されないことを示すプロンプト情報を含む。グループを退去するための受け取られた命令は、グループを退去するためのスイッチを使用することによって受け取られて、ユーザとグループの間の結合関係を終了する。
【００６４】
この技術分野の当業者は、実施形態における方法の処理の全部またはいくつかは、関連するハードウェアに命令するコンピュータプログラムによって実現され得ることを理解し得る。プログラムは、コンピュータ読み取り可能な記憶媒体に記憶され得る。プログラムが動作するとき、実施形態における方法の処理が実行される。記憶媒体は、磁気ディスク、光ディスク、またはリード・オンリ・メモリ(ROM)、ランダム・アクセス・メモリ(RAM)、等のような不揮発性記憶媒体であり得る。
【００６５】
上記の実施形態の技術的特徴は、あらゆる組み合わせに組み合わされ得る。記載の簡潔さのために、上記の実施形態の技術的特徴の全ての可能な組み合わせは記載されていない。しかし、技術的特徴の組み合わせは、組み合わせの中で矛盾がないことを前提として、この明細書の範囲内にあるものである。
【００６６】
上記の実施形態は、本開示のほんのいくつかの実装である。上記の実施形態は、比較的具体的で詳細な形態で記載されているが、本開示の範囲を限定すると解釈されるべきでない。いくつかの修正および改善が、本開示の概念から逸脱することなくこの技術分野の当業者によって行われることが可能であり、本開示の保護範囲内にあるものであることも留意すべきである。従って、本開示の保護範囲は、請求項に従うものである。
【符号の説明】
【００６７】
110  端末
120  サーバ
802  検出モジュール
804  情報取得モジュール
806  案内決定モジュール
808  グループ退去モジュール
816  第１決定モジュール
826  第２決定モジュール
【図１】
0006427715.tif 000002
【図２】
0006427715.tif 000003
【図３】
0006427715.tif 000004
【図４】
0006427715.tif 000005
【図５】
0006427715.tif 000006
【図６】
0006427715.tif 000007
【図７】
0006427715.tif 000008
【図８】
0006427715.tif 000009
【図９】
0006427715.tif 000010